(57)【要約】【課題】成形同時加飾された複数の図柄を、成形樹脂中を通過する光で個別に光らせることのできる表示パネルを提供する。【解決手段】表示パネル１０は、第１光源であるＬＥＤ９１の点灯により第１図柄５１を第１窓４１で光らせるときには第１裏側遮光領域７１及び第２表側遮光領域４４によって第２図柄５２の発光を抑制する。また、第２光源であるＬＥＤ９２の点灯により第２図柄５２を第２窓４２で光らせるときには第２裏側遮光領域７２及び第１表側遮光領域４３によって第１図柄５１の発光を抑制するように構成されている。【選択図】図４
2018155862.tif 000002
【特許請求の範囲】
【請求項１】
一方が点灯したときに他方を消灯することのできる第１光源及び第２光源を保持している機材に取り付けられ、前記第１光源及び前記第２光源から照射された光が透過する表示パネルであって、
透明または半透明の樹脂からなり、前記樹脂の成形体である突起を裏面に有する光透過性の成形体本体と、
前記成形体本体の表面に前記成形体本体の成形と同時に一体化され、前記表面を加飾する表側加飾層と、
前記成形体本体の前記裏面に前記成形体本体の成形と同時に一体化されたシート状部材と
を備え、
前記成形体本体または前記シート状部材は、前記第１光源からの光の透過によって表示される第１図柄及び前記第２光源からの光の透過によって表示される第２図柄を含む裏側加飾層を有し、
前記表側加飾層は、前記第１図柄を透過した光が通過する第１窓及び前記第１窓の周囲の透過光を遮断する第１表側遮光領域、並びに前記第２図柄を透過した光が通過する第２窓及び前記第２窓の周囲の透過光を遮断する第２表側遮光領域を有し、
前記裏側加飾層は、前記第１図柄の周囲の透過光を遮断する第１裏側遮光領域及び前記第２図柄の周囲の透過光を遮断する第２裏側遮光領域を有し、
前記第１光源の点灯により前記第１図柄を前記第１窓で光らせるときには前記第１裏側遮光領域及び前記第２表側遮光領域によって前記第２図柄の発光を抑制し、前記第２光源の点灯により前記第２図柄を前記第２窓で光らせるときには前記第２裏側遮光領域及び前記第１表側遮光領域によって前記第１図柄の発光を抑制するように構成されている、表示パネル。
【請求項２】
前記成形体本体の前記裏面に固着され、前記前記第１光源から前記第２図柄に向って照射される光及び前記第２光源から前記第１図柄に向って照射される光を遮る遮光部材をさらに備える、
請求項１に記載の表示パネル。
【請求項３】
前記遮光部材は、前記シート状部材が前記第１図柄及び前記第２図柄のうちの少なくとも一方が印刷されている裏側加飾シートを含む、
請求項２に記載の表示パネル。
【請求項４】
前記成形体本体は、前記裏側加飾シートの前記遮光部材を構成する部分を前記裏面から突出して支える、前記樹脂の成形体である支持部をさらに有する、
請求項３に記載の表示パネル。
【請求項５】
前記遮光部材及び／または前記表側加飾層は、前記第１光源及び／または前記第２光源から照射された光を反射する反射部を少なくとも一部に含む、
請求項２から４のいずれか一項に記載の表示パネル。
【請求項６】
前記シート状部材は、前記第１図柄及び前記第２図柄とは異なる領域に配置され、前記成形体本体の前記表面から入力するセンサシートを含む、
請求項１から５のいずれか一項に記載の表示パネル。
【請求項７】
前記表側加飾層は、前記第１図柄と前記第１窓の縁とを結ぶ直線及び前記第２図柄と前記第２窓の縁とを結ぶ直線と前記成形体本体の前記表面に対する垂線とのなす角が臨界角よりも大きくなるように前記第１窓及び前記第２窓が配置されている、
請求項１から６のいずれか一項に記載の表示パネル。
【請求項８】
前記表側加飾層は、前記第１裏側遮光領域の端、前記第２裏側遮光領域の端及び前記突起から前記第１窓及び前記第２窓に達する光が前記成形体本体の前記表面に臨界角より大きい角度で入射するように前記第１窓及び前記第２窓が配置されている、
請求項１から７のいずれか一項に記載の表示パネル。
【請求項９】
前記成形体本体は、前記第１窓及び／または前記第２窓から出る光を屈折させる凸部または凹部を有する、
請求項１から８のいずれか一項に記載の表示パネル。
【請求項１０】
前記機材は、自動車のセンターコンソールを構成するものであり、
前記表側加飾層は、前記第１窓の縁及び前記第２窓の縁から、それぞれ平面視のおける前記第１裏側遮光領域の端及び前記第２裏側遮光領域の端までの距離について、自動車の進行方向の後方側が最も小さくなるように構成されている、
請求項１から９のいずれか一項に記載の表示パネル。
【発明の詳細な説明】
【技術分野】
【０００１】
本発明は、表示パネルに関し、特に互いに隣接して配置され、一方を点灯したときに他方を消灯することのできる第１光源及び第２光源を保持している機材に取り付けられる表示パネルに関する。
【背景技術】
【０００２】
従来から、表面が加飾され、内部の光源から発光する光を、樹脂内を通過させて表面の特定の領域に誘導し、その特定の領域で光を漏洩させて意匠効果を奏する導光型装飾樹脂成形品がある。例えば特許文献１（特許第５３８５２４８号公報）に記載されている導光型装飾樹脂成形品は、光を通過させる樹脂の表面に樹脂の成形と同時に加飾シートを一体化させて操作パネルを構成している。
【先行技術文献】
【特許文献】
【０００３】
【特許文献１】特許第５３８５２４８号公報
【発明の概要】
【発明が解決しようとする課題】
【０００４】
ところで、全体の中の一部の図柄だけを光らせて際立たせ、光っていない他の図柄から区別して表示することがある。光っている図柄の切換を行う場合には、例えば、特許文献１に記載されている操作パネルのように樹脂中を光が透過する場合には、光らせたくない図柄も光ってしまって、特許文献１に記載の構成では、樹脂中を透過する光を使って光る図柄を切り換えるのは困難である。
【０００５】
本発明の課題は、成形同時加飾された複数の図柄を、成形樹脂中を通過する光で個別に光らせることのできる表示パネルを提供することである。
【課題を解決するための手段】
【０００６】
以下に、課題を解決するための手段として複数の態様を説明する。これら態様は、必要に応じて任意に組み合せることができる。
本発明の一見地に係る表示パネルは、一方が点灯したときに他方を消灯することのできる第１光源及び第２光源を保持している機材に取り付けられ、第１光源及び第２光源から照射された光が透過する表示パネルであって、透明または半透明の樹脂からなり、樹脂の成形体である突起を裏面に有する光透過性の成形体本体と、成形体本体の表面に成形体本体の成形と同時に一体化され、表面を加飾する表側加飾層と、成形体本体の裏面に成形体本体の成形と同時に一体化されたシート状部材とを備え、成形体本体またはシート状部材は、第１光源からの光の透過によって表示される第１図柄及び第２光源からの光の透過によって表示される第２図柄を含む裏側加飾層を有し、表側加飾層は、第１図柄を透過した光が通過する第１窓及び第１窓の周囲の透過光を遮断する第１表側遮光領域、並びに第２図柄を透過した光が通過する第２窓及び第２窓の周囲の透過光を遮断する第２表側遮光領域を有し、裏側加飾層は、第１図柄の周囲の透過光を遮断する第１裏側遮光領域及び第２図柄の周囲の透過光を遮断する第２裏側遮光領域を有する。そして、表示パネルは、第１光源の点灯により第１図柄を第１窓で光らせるときには第１裏側遮光領域及び第２表側遮光領域によって第２図柄の発光を抑制し、第２光源の点灯により第２図柄を第２窓で光らせるときには第２裏側遮光領域及び第１表側遮光領域によって第１図柄の発光を抑制するように構成されている。
このような表示パネルによれば、第１光源の点灯により第１図柄を第１窓で光らせるときには第１裏側遮光領域及び第２表側遮光領域によって第２図柄の発光が抑制され、第２光源の点灯により第２図柄を第２窓で光らせるときには第２裏側遮光領域及び第１表側遮光領域によって第１図柄の発光が抑制されるので、第１光源または第２光源の点灯によって第１図柄及び第２図柄が同時に同じように光るのを防止することができる。その結果、第１光源または第２光源から照射されて透光性の成形体本体を通過した光によって第１図柄と第２図柄とを個別に光らせることができる。
【０００７】
上述の表示パネルは、成形体本体の裏面に固着され、第１光源から第２図柄に向って照射される光及び第２光源から第１図柄に向って照射される光を遮る遮光部材をさらに備えるものであってもよい。第１光源から第２図柄に向って照射される光及び第２光源から第１図柄に向って照射される光の遮光を十分に行うことができる。
上述の遮光部材は、シート状部材が第１図柄及び第２図柄のうちの少なくとも一方が印刷されている裏側加飾シートを含むものであってもよい。裏側加飾シートを用いて遮光部材を形成することにより、安価に遮光部材を形成することができる。
上述の表示パネルにおいて、成形体本体は、裏側加飾シートの遮光部材を構成する部分を裏面から突出して支える、樹脂の成形体である支持部をさらに有するものであってもよい。このような構成を持つ表示パネルは、壊れ難く、高い耐久性を有するものとなる。
【０００８】
上述の表示パネルにおいて、遮光部材及び／または表側加飾層は、第１光源及び／または第２光源から照射された光を反射する反射部を少なくとも一部に含むものであってもよい。このように構成された表示パネルでは、第１図柄及び／または第２図柄を反射部が無い場合に比べて、より強くまたは光による表現に変化を与えるように光らせることができる。
上述の表示パネルにおいて、シート状部材は、第１図柄及び第２図柄とは異なる領域に配置され、成形体本体の表面から入力するセンサシートを含むものであってもよい。センサシートを使って入力することのできるシームレスな表示パネルを提供することができる。
上述の表示パネルにおいて、第１図柄と第１窓の縁とを結ぶ直線及び第２図柄と第２窓の縁とを結ぶ直線と成形体本体の表面に対する垂線とのなす角が臨界角よりも大きくなるように第１窓及び第２窓が配置されているものであってもよい。このような構成により、臨界角の２倍の視野角を得ることができる。
上述の表示パネルにおいて、表側加飾層は、第１裏側遮光領域の端、第２裏側遮光領域の端及び突起から第１窓及び第２窓に達する光が成形体本体の表面に臨界角より大きい角度で入射するように第１窓及び第２窓が配置されているものであってもよい。このような構成を持つ表示パネルは、第１裏側遮光領域の端、第２裏側遮光領域の端及び突起が第１窓及び第２窓から見えるのを防ぐことができ、美しい外観を呈する。
上述の表示パネルにおいて、成形体本体は、第１窓及び／または第２窓から出る光を屈折させる凸部または凹部を有するものであってもよい。ユーザが見やすい表示を表示パネルが行えるように、凸部または凹部での光の屈折を使って表示パネルを構成することができる。
上述の表示パネルにおいて、機材は、自動車のセンターコンソールを構成するものであり、表側加飾層は、第１窓の縁及び第２窓の縁から、それぞれ平面視のおける第１裏側遮光領域の端及び第２裏側遮光領域の端までの距離について、自動車の進行方向の後方側が最も小さくなるように構成されているものであってもよい。このように構成された表示パネルでは、第１図柄及び第２図柄の配置の自由度が増し、第１図柄及び第２図柄が配置しやすくなる。
【発明の効果】
【０００９】
本発明の表示パネルによれば、成形同時加飾された第１図柄と第２図柄の複数の図柄を、成形体本体の中を通過する光で個別に光らせることのできる表示パネルを提供することができる。
【図面の簡単な説明】
【００１０】
【図１】第１実施形態に係る表示パネルが使用されたセンターコンソールの斜視図。
【図２】第１実施形態に係る表示パネルの表側から見た斜視図。
【図３】第１実施形態に係る表示パネルの裏側から見た斜視図。
【図４】第１実施形態に係る表示パネルの模式的な部分拡大断面図。
【図５】（ａ）第１図柄と第１窓とを説明するための分解斜視図、（ｂ）図５（ａ）に表された部分が一体に成形された状態を示す斜視図。
【図６】（ａ）視野角との関係で第１図柄または第２図柄が見えない状態を説明するための表示パネルの模式的な部分拡大断面図、（ｂ）視野角との関係で第１図柄または第２図柄が見る状態を説明するための表示パネルの模式的な部分拡大断面図。
【図７】第１窓及び第２窓の配置を説明するための表示パネルの部分拡大断面図。
【図８】（ａ）第１窓の周辺を拡大した部分拡大平面図、（ｂ）凸面を説明するために第１窓の周辺を拡大した部分拡大断面図、（ｃ）凹面を説明するために第１窓の周辺を拡大した部分拡大断面図、（ｄ）傾斜面を説明するために第１窓の周辺を拡大した部分拡大断面図。
【図９】（ａ）表示パネルの裏側の構造が見える状態を説明するための表示パネルの模式的な部分拡大断面図、（ｂ）表示パネルの裏側の構造が見えない状態を説明するための表示パネルの模式的な部分拡大断面図。
【図１０】（ａ）第１窓及び第２窓の配置を説明するための表示パネルの部分拡大断面図、（ｂ）センターコンソールの第１窓及び第２窓の配置を説明するための表示パネルの部分拡大平面図。
【図１１】（ａ）裏側加飾シートの一部を示す部分拡大平面図、（ｂ）トリミングにより得られたフィルム片を示す部分拡大平面図、（ｃ）フォーミングにより得られたインサート部品を示す斜視図。
【図１２】型締めされる前の第１型及び第２型を模式的に示す断面図。
【図１３】溶融樹脂が射出された後の第１型及び第２型を模式的に示す断面図。
【図１４】変形例１Ａに係る表示パネルの一例を示す模式的な部分拡大断面図。
【図１５】変形例１Ａに係る表示パネルの他の例を示す模式的な部分拡大断面図。
【図１６】変形例１Ｂに係る表示パネルを示す模式的な断面図。
【図１７】（ａ）変形例１Ｃに係る光のグラデーションを説明するための表示パネルの部分拡大斜視図、（ｂ）変形例１Ｃに係る光のグラデーションを表示するための表示パネルの構成の一例を示す部分拡大断面図。
【図１８】変形例１Ｄに係る表示パネルの影による効果を説明するための部分拡大斜視図。
【図１９】（ａ）変形例１Ｆに係る遮光部材の平面形状の一例を示す模式的な部分拡大平面図、（ｂ）変形例１Ｆに係る遮光部材の平面形状の他の例を示す模式的な部分拡大平面図、（ｃ）変形例１Ｆに係る遮光部材の平面形状のさらに他の例を示す模式的な部分拡大平面図、（ｄ）変形例１Ｆに係る遮光部材を形成するためのフィルム片の一例を示す平面図、（ｅ）変形例１Ｆに係る遮光部材を形成するためのインサート部品の一例を示す平面図。
【図２０】変形例１Ｇに係る表示パネルの一例を説明するための第１型と第２型の模式的な断面図。
【図２１】変形例１Ｈに係る表示パネルの一例を示す模式的な部分拡大断面図。
【図２２】従来のセンターコンソールに用いられている表示パネルを説明するための斜視図。
【図２３】第２実施形態に係る表示パネルの模式的な部分拡大断面図。
【発明を実施するための形態】
【００１１】
〈第１実施形態〉
本発明の第１実施形態に係る表示パネルについて図面を用いて説明する。
（１）表示パネルの概要
図１には、自動車のセンターコンソールに取り付けられている表示パネルの一例が示されている。自動車のセンターコンソール２００には、各種の入力装置２１０及び各種の表示部２２０などが配置されている。
入力装置２１０の一例として、セレクトレバー２１１がある。セレクトレバー２１１は、オートマチックトランスミッション（図示せず）の操作レバーである。セレクトレバー２１１には、複数の操作位置（レンジ）がある。操作位置としては、例えば、駐車時に使用するパーキングレンジ、自動車の後退時に使用するリバースレンジ、変速機内部がフリー状態となるニュートラルレンジ、通常走行時に使用するドライブレンジがある。
入力装置２１０の他の例として、タッチパッド２１２がある。タッチパッド２１２は、例えば、運転席から見える画面（図示せず）を見ながら、センターコンソール２００でナビゲーション装置及びオーディオなどを操作するリモート操作に用いられる。例えば、タッチパッド２１２を操作して、画面上に表示されるカーソルを移動させることなどを行うことができる。タッチパッド２１２及びタッチスイッチ２１３は、成形同時加飾によって、表示パネル１０に一体化されている。
【００１２】
入力装置２１０の他の例として、タッチスイッチ２１３がある。タッチスイッチ２１３は、例えば、運転席から見える画面を見ながら、センターコンソール２００でナビゲーション装置及びオーディオなどを操作するリモート操作に用いられる。例えば、タッチスイッチ２１３を使って、画面上にメニューを表示させたり、入力を確定したり、表示画面を切り換えたりすることなどが行える。
表示部２２０の例としては、パーキングレンジの頭文字「Ｐ」で表されるパーキングレンジの表示部２２１、リバースレンジの頭文字「Ｒ」で表されるリバースレンジの表示部２２２、ニュートラルレンジの頭文字「Ｎ」で表されるニュートラルレンジの表示部２２３、及びドライブレンジの頭文字「Ｄ」で表されるドライブレンジの表示部２２４がある。
表示部２２０の他の例としては、タッチパッド２１２及びタッチスイッチ２１３の位置を示すための複数のイラストレーションなどが表示される複数の表示部２２５がある。
表示パネル１０は、センターコンソール２００に取り付けられている。表示パネル１０には、表示パネル１０の表側から視認できるように表示内容が加飾によって表現される。また、表示パネル１０においては、表示パネル１０の裏側からの投光による表現が行われる場合もある。表示パネル１０に配置されている表示部２２０の種々の表示によって、センターコンソール２００からの種々の情報が自動車のドライバーに伝達される。
表示パネル１０における投光を用いた表現としては、例えば、ドライバーがセレクトレバー２１１をニュートラルレンジに入れたときには、表示部２２３の「Ｎ」の文字を緑色に光らせるという表現がある。また、次に、ドライバーがセレクトレバー２１１を操作して、ニュートラルレンジからドライブレンジに入れたときには、表示部２２３の「Ｎ」の文字の緑色の光を消して、表示部２２４の「Ｄ」の文字を白色に光らせるという表現がある。ドライバーは、表示部２２３で緑色に光っていた「Ｎ」の文字が消えて表示部２２４で「Ｄ」の文字が白色に光り始めるのを見て、オートマチックトランスミッションがニュートラルの状態からドライブの状態に切り換わったことを認識することができる。また、表示部２２２の「Ｒ」の文字をオレンジ色に光らせるという表現がある。
【００１３】
（２）表示パネル１０の詳細構成
図２及び図３には、図１に示されている表示パネル１０とは、異なる形状の表示パネル１０が示されている。図２には、表示パネル１０を表面１１の側から見た外観が示されており、図３には、表示パネル１０を裏面１２の側から見た外観が示されている。図２及び図３に示されている表示パネル１０も、図１に示されている表示パネル１０と同様に、表示部２２１〜２２５を有している。また、図２及び図３に示されている表示パネル１０にも、図１に示されている表示パネル１０と同様に、タッチパッド２１２及びタッチスイッチ２１３が一体化されている。なお、以下の説明においては、図２及び図３に示されているＸ軸方向を前後方向といい、Ｙ軸方向を左右方向といい、そしてＺ軸方向を上下方向という。
表示パネル１０は、裏面１２に突起２０を有する。突起２０の一例として、ボス２１がある。ボス２１は、表示パネル１０をセンターコンソール２００に固定するために用いられる。突起２０の他の例としては、表示パネル１０の裏面１２の縁に形成されているリブ２２がある。これらボス２１及びリブ２２などの突起２０は、表示パネル１０の裏面１２にタッチパッド２１２及びタッチスイッチ２１３を一体化したり、裏面１２に加飾を施したりする成形同時加飾の成形の難易度を増す要因となる。
【００１４】
既に説明したように表示パネル１０の裏側から投光するため、光を照射するための光源が表示パネル１０の裏面１２の側に配置される。このような光源の一例としては、図４に示されている複数の光源９０がある。複数の光源９０には、２つのＬＥＤ（Light Emitting Diode）９１，９２が含まれている。ＬＥＤ９１，９２は、センターコンソール２００を構成する機材の一つであるプリント配線基板９３の上に実装されている。ＬＥＤ９１，９２は、ＬＥＤ９１が点灯しているときにＬＥＤ９２が消灯され、ＬＥＤ９２が点灯しているときにＬＥＤ９１が消灯されるように構成されている。
例えば上述のボス２１は、図４に示されているプリント配線基板９３に嵌めこまれる。表示パネル１０は、例えば、センターコンソール２００を構成する機材であるプリント配線基板９３にボス２１によって直接取り付けられる。または、表示パネル１０は、例えば、センターコンソール２００を構成する他の機材に、プリント配線基板９３と一緒にボス２１によって取り付けられる。ボス２１は、表側加飾シート４０の目隠し領域４８によって目隠しされ、表示パネル１０の外側からはボス２１が見えない構成になっている。
【００１５】
（２−１）表示部の構成
図４には、前後に並んでいる表示部２２３，２２４の断面構造が模式的に示されている。表示パネル１０は、図２、図３及び図４に示されているように、透明又は半透明の樹脂を成形してなる。成形体本体３０の表面３１に加飾層を形成している表側加飾シート４０と、成形体本体３０の裏面３２に加飾を施すための裏側加飾シート５０と、成形体本体３０の裏面３２にタッチパッド２１２及びタッチスイッチ２１３を形成するためのセンサシート６０と、遮光部材７０とを備えている。
表示パネル１０がセンターコンソール２００に取り付けられて使用され、例えば互いに隣接する２つの表示部２２３，２２４から異なる色の光を透過させる場合、第１光源である第１のＬＥＤ９１と第２光源である第２のＬＥＤ９２とが異なる色で発光する。文字「Ｎ」を表示するための表示部２２３に光を照射するＬＥＤ９１が例えば緑色に発光し、文字「Ｄ」を表示するための表示部２２４に光を照射するＬＥＤ９２が例えば白色に発光する。
裏側加飾シート５０は、第１裏側遮光領域７１、第２裏側遮光領域７２、第３裏側遮光領域７３及び第４裏側遮光領域７４を含んでいる。これら第１裏側遮光領域７１、第２裏側遮光領域７２、第３裏側遮光領域７３及び第４裏側遮光領域７４は、光を吸収または反射することにより光を遮断するので、例えば、黒色であることが好ましく、または金属光沢を持っていることが好ましい。第１裏側遮光領域７１は、第１のＬＥＤ９１から照射される余分な光を遮断するためにＸＹ平面に沿って前後左右に延びている。第２裏側遮光領域７２は、第２のＬＥＤ９２から照射される余分な光を遮断するためにＸＹ平面に沿って前後左右に延びている。第３裏側遮光領域７３は、第１のＬＥＤ９１から照射される余分な光を遮断するためにＸＺ平面またはＹＺ平面に沿って前後上下または上下左右に延びている。つまり、第３裏側遮光領域７３は、Ｚ方向から見てＬＥＤ９１の周囲を長方形状に取り囲んでいる。第４裏側遮光領域７４は、第２のＬＥＤ９２から照射される余分な光を遮断するためにＸＺ平面またはＹＺ平面に沿って前後上下または上下左右に延びている。つまり、第４裏側遮光領域７４は、Ｚ方向から見てＬＥＤ９２の周囲を長方形状に取り囲んでいる。
【００１６】
ＬＥＤ９１，９２は、Ｚ軸方向に沿って鉛直上方に向って光を照射する。図４において、１点鎖線の間の角度が１／２ビーム角θ１を表している。１／２ビーム角θ１は、正面からＬＥＤ９１，９２を見た明るさに対して、半分の明るさになる点までの角度である。第１裏側遮光領域７１及び第２裏側遮光領域７２は、１／２ビーム角θ１の範囲内にまで入り込むように形成されている。ここでは、例えば「Ｎ」の文字が第１図柄５１であり、「Ｄ」の文字が第２図柄５２である。従って、第１図柄５１は、ＬＥＤ９１の１／２ビーム角θ１の範囲内に入り、比較的ムラなく表示される。同様に、第２図柄５２は、ＬＥＤ９２の１／２ビーム角θ１の範囲内に入り、比較的ムラなく表示される。なお、ここでは、図柄をムラなく光らせるために図柄がＬＥＤの１／２ビーム角θ１の範囲内に入る場合について説明しているが、異なる表示効果を持たせるために、図柄に一部をＬＥＤの１／２ビーム角θ１の範囲外に配置してもよい。
遮光部材７０は、複数の光源９０の余分な光を遮断するため、成形体本体３０の裏面３２から突出している部分である。この遮光部材７０は、裏側加飾シート５０の第３裏側遮光領域７３及び第４裏側遮光領域７４、並びに第３裏側遮光領域７３及び第４裏側遮光領域７４を支える樹脂壁２３を含んで構成されている。つまり、遮光部材７０は、成形体本体３０の一部分と裏側加飾シート５０の一部分とを組み合わせて形成されているということである。第１裏側遮光領域７１、第２裏側遮光領域７２、第３裏側遮光領域７３及び第４裏側遮光領域７４は、ＬＥＤ９１，９２の照射角度（ここでは、照射角度は光が照射されている角度をいう。）の全体を覆うことが好ましい。
【００１７】
第１図柄５１の上の成形体本体３０の表面３１には、第１窓４１が形成されている。第２図柄５２の上の成形体本体３０の表面３１には、第２窓４２が形成されている。また、第１窓４１の周囲には、第１表側遮光領域４３が形成されており、第２窓４２の周囲には、第２表側遮光領域４４が形成されている。第１表側遮光領域４３及び第２表側遮光領域４４は例えば不透明である。
図５（ａ）には、第１図柄５１及び第１窓４１の部分を分解した状態が示され、図５（ｂ）には、第１図柄５１及び第１窓４１の部分の成形後の状態が示されている。第１図柄５１を通過して照射される光が、第１窓４１を通過するように、第１図柄５１と第１窓４１との位置合わせが行われる。また、遮光部材７０は、第１表側遮光領域４３の下に形成されており、第１窓４１からは見えないように第１表側遮光領域４３で覆われている。
【００１８】
（２−２）タッチパッド２１２及びタッチスイッチ２１３
タッチパッド２１２及びタッチスイッチ２１３は、例えば、静電容量式のタッチセンサを用いて構成される。タッチパッド２１２を構成する静電容量式のタッチセンサは、第１方向の位置を検出するフィルム状の第１の電極パターンと第２方向の位置を検出するフィルム状の第２の電極パターンとを備えている。第１の電極パターンを用いて、例えばＸ軸方向の位置を検出するＸ側センサが形成され、第２の電極パターンを用いて、例えばＹ軸方向の位置を検出するＹ側センサが形成される。タッチスイッチ２１３を構成する静電容量式のタッチセンサは、例えばオン・オフの入力を行うために、静電容量の変化を検出する電極を含んでいる。
このように形成されたタッチパッド２１２では、表示パネル１０の表面１１を例えば指先でタッチすることによりＸＹ平面内の２次元的な入力が可能になる。また、タッチスイッチ２１３では、表示パネル１０の表面１１を例えば指先でタッチすることによりオン・オフなどの可能になる。
【００１９】
（２−３）表側加飾シート４０及び裏側加飾シート５０の構成
表側加飾シート４０と裏側加飾シート５０は、フィルム８１０と図柄層８２０とからなる。フィルム８１０は、例えば、ポリエステル系樹脂、ポリプロピレン系樹脂、アクリル系樹脂、ポリカーボネート系樹脂、ポリアミド系樹脂、ポリイミド系樹脂、オレフィン系樹脂、ウレタン系樹脂、及びアクリロニトリルブタジエンスチレン系樹脂等の合成樹脂を用いて構成することができる。フィルム８１０は、単層シートとして構成してもよいし、複数の単層シートを積層してなる積層シートとして構成してもよい。
表側加飾シート４０と裏側加飾シート５０の図柄層８２０は、例えば着色インキや金属薄膜等を含み、文字や図柄、金属光沢等を表現する。また、図柄層８２０は、成形体本体３０と図柄層８２０との接着性を向上させるための接着層、表面強度を向上させて耐擦傷性を付与するためのハードコート層、及び層間密着性を向上させるためのアンカー層等をさらに有してもよい。これらの各層は、グラビア印刷法、スクリーン印刷法、及びオフセット印刷法等の印刷法や、グラビアコート法、ダイコート法、ロールコート法、及びコンマコート法等のコート法等により形成することができる。
【００２０】
（３）表示パネル１０による表示
（３−１）表示の概要
セレクトレバー２１１を操作する前は、ニュートラルレンジに入っており、第１図柄５１が緑色に光っているとする。このときは、ＬＥＤ９１が緑色に光るが、ＬＥＤ９１から照射された光は、一部が第１図柄５１の「Ｎ」の文字を通過し、成形体本体３０の中を通過し、さらに第１窓４１を通過してドライバーの目に届き、またＬＥＤ９１から照射された光のうちの残りが、第１裏側遮光領域７１及び第３裏側遮光領域７３によって遮断される。そのため、第１図柄５１の「Ｎ」の文字が緑色に浮かび上がるが、第１図柄５１に隣接している第２図柄５２までは緑色の光が届かないことから第２図柄５２の「Ｄ」の文字が光ることはないので、セレクトレバー２１１がドライブレンジに入っているとドライバーが錯覚するのを防止することができる。
セレクトレバー２１１を操作することにより、ニュートラルレンジからドライブレンジに切り換わったとすると、ＬＥＤ９１が消灯してＬＥＤ９２が点灯する。従って、ＬＥＤ９２が白色に光るが、ＬＥＤ９２から照射された光は、一部が第２図柄５２の「Ｄ」の文字を通過し、成形体本体３０の中を通過し、さらに第２窓４２を通過してドライバーの目に届き、またＬＥＤ９２から照射された光のうちの残りが、第２裏側遮光領域７２及び第４裏側遮光領域７４によって遮断される。そのため、第２図柄５２の「Ｄ」の文字が白色に浮かび上がるが、第２図柄５２に隣接している第１図柄５１までは緑色の光が届かないことから第１図柄５１の「Ｎ」の文字が光ることはないので、セレクトレバー２１１がニュートラルレンジに入っているとドライバーが錯覚するのを防止することができる。
【００２１】
（３−２）表示パネル１０の視野角
表示パネル１０は、成形体本体３０の表面３１と裏面３２の両方に、第１表側遮光領域４３及び第２表側遮光領域４４並びに第１裏側遮光領域７１及び第２裏側遮光領域７２が形成されているので、視野角の制限が大きくなる。視野角について、第１図柄５１（または第２図柄５２）を模式的に示した図６（ａ）及び図６（ｂ）、並びに第１図柄５１（または第２図柄５２）を模式的に示した図７を用いて説明する。図６（ａ）には、視野角によって第１図柄５１が見えない場所が例示されている。そこで、図６（ａ）で第１図柄５１が見えなかった場所から第１図柄５１を見えるようにするための方法について図６（ｂ）を用いて説明する。
図６（ａ）及び図６（ｂ）において、ポジションＰｏ１は、ＬＥＤ９１の照射方向である第１図柄５１（または第２図柄５２）の鉛直上方にあり、ポジションＰｏ２，Ｐｏ３は、第１図柄５１の鉛直方向から角度θ２だけ傾いた位置にある。図６（ａ）の構成を持つ表示パネル１０では、第１図柄５１を透過した光が第１表側遮光領域４３（または第２表側遮光領域４４）で遮られて、ポジションＰｏ２，Ｐｏ３においては第１図柄５１を見ることができない。ポジションＰｏ２，Ｐｏ３において第１図柄５１を見られるようにするには、図６（ｂ）に示されているように、第１窓４１（または第２窓４２）を広げ、視野角を２×θ２よりも広げる。
【００２２】
図７に示されているように第１窓４１（または第２窓４２）の箇所で成形体本体３０の表面３１と裏面３２が平行であるとすると、第１図柄５１について臨界角の２倍の視野角θ３を得るには、第１窓４１の縁４１ａが、平面視のおける第１図柄５１からの距離ｄ１を、第１窓４１の配置位置における成形体本体３０の厚みｄ２から求められるｄ２×ｔａｎ（θ３／２）の値以上に離して配置する。同様に、第２図柄５２についても、視野角θ３を得るには、第２窓４２の縁４２ａが、平面視のおける第２図柄５２からの距離ｄ１を、第２窓４２の配置位置における成形体本体３０の厚みｄ２から求められるｄ２×ｔａｎ（θ３／２）の値以上に離して配置する。
視野角θ３が臨界角の２倍と一致する場合を考えると、表面３１と裏面３２が平行であるから、視野角の最も外側を進む光が表面３１に対して臨界角で入射する。臨界角よりも大きな角度で表面３１に入射したＬＥＤ９１の光は表面３１で反射されて表示パネル１０の外側から見ることはできない。従って、臨界角よりも大きな入射角で第１窓４１にＬＥＤ９１の光が入射するように第１窓４１を広げてもその光が反射されるため視野角は広がらない。逆に、第１窓４１を狭めて臨界角よりも小さな入射角で入射するＬＥＤ９１の光を遮光すると、視野角が狭くなってしまう。つまり、ｄ１≧ｄ２×ｔａｎ（θ３／２）を満たすように第１窓４１を配置することで、この表示パネル１０における最大の視野角を得ることができる。
次に、図８（ａ）から図８（ｄ）を用いて、さらに視野角を広げる方法及び光の進行方向を変更する方法について説明する。
図柄が文字であると文字の歪みなども考慮することが好ましいため説明が難しくなるので、歪みを考慮する必要のない輝点５３を見易くする方法について説明する。ここでは、この輝点５３も第１図柄５１に含まれるものとして説明する。
図８（ｂ）に示されている表示パネル１０には、第１窓４１の箇所において成形体本体３０に凸面３３が形成されている。図８（ｃ）に示されている表示パネル１０には、第１窓４１の箇所において成形体本体３０に凹面３４が形成されている。図８（ｄ）に示されている表示パネル１０には、第１窓４１の箇所において成形体本体３０に傾斜面３５が形成されている。これら凸面３３、凹面３４及び傾斜面３５は、成形体本体３０を通過してきた光を屈折する作用がある。凸面３３、凹面３４及び傾斜面３５は、成形体本体３０の射出成形と表側加飾シート４０及び裏側加飾シート５０の一体成形により、精度良く第１窓４１の箇所及び第１図柄５１の箇所に形成することができる。
【００２３】
図８（ｂ）から図８（ｄ）において、光路Ｌ１、Ｌ２，Ｌ３は、説明を簡単にするために空気中に出るまでは平行光であるように描いている。光路Ｌ１は、凸面３３から空気中に出たところで屈折されて焦点を結んだ後は、全体が広がるように進む。光路Ｌ２は、凹面３４から空気中に出たところから全体が広がるように進む。光路Ｌ１，Ｌ２の全体が広がると、平行光のままで進むのに比べて視野角が広がり、例えば自動車のドライバーが輝点５３を認識し易くなる。また、光路Ｌ３は、傾斜面３５から空気中に出たところで光路を変更する。この光路Ｌ３が曲がる方向にドライバーが位置すれば、ドライバーが輝点５３を認識し易くなる。なお、図８（ｄ）では、成形体本体３０の表面３１から凹ませることで傾斜面３５を形成しているが、表面３１から突出させて傾斜面を形成してもよい。また、これら表示パネル１０の表面１１に形成された凸面３３、凹面３４及び傾斜面３５のような凹凸は、ドライバーのように運転中にセンターコンソール２００ばかりを注視できない者にとっては、タッチパッド２１２及びタッチスイッチ２１３などの場所を認識する手掛かりになる。
【００２４】
（３−３）表示パネル１０の構造の目隠し
表示パネル１０の突起２０及び遮光部材７０などの構造が表示パネル１０の表面１１から見えると表示パネル１０の商品価値が低くなる場合がある。そこで、表示パネル１０では、表側加飾シート４０によって突起２０及び遮光部材７０などの構造の目隠しが行われている。表側加飾シート４０による目隠しについて、図９（ａ）、図９（ｂ）及び図１０（ａ）を用いて説明する。
表示パネル１０は、成形体本体３０の裏面３２において、図９（ａ）及び図９（ｂ）に示されているように、第１裏側遮光領域７１及び第２裏側遮光領域７２には端７１ａ，７２ａが存在する。図９（ａ）には、端７１ａ，７２ａが見える場所が例示されている。そこで、図９（ａ）で端７１ａ，７２ａが見える場所から見えないようにするための方法について図９（ｂ）を用いて説明する。
図９（ａ）及び図９（ｂ）において、ポジションＰｏ４は、ＬＥＤ９１（９２）の照射方向である第１図柄５１（第２図柄５２）の鉛直上方にあり、ポジションＰｏ５，Ｐｏ６は、第１図柄５１の鉛直方向から角度θ４だけ傾いた位置にある。図９（ａ）の構成を持つ表示パネル１０では、第１裏側遮光領域７１の端７１ａ（または第２裏側遮光領域７２の端７２ａ）から出た光が第１窓４１（または第２窓４２）に入射するときの角度が臨界角θ４以下になっている。そのため、第１裏側遮光領域７１の端７１ａ（または第２裏側遮光領域７２の端７２ａ）から出た光がポジションＰｏ５，Ｐｏ６に到達してしまい、ポジションＰｏ５，Ｐｏ６において第１裏側遮光領域７１の端７１ａ（または第２裏側遮光領域７２の端７２ａ）が見えてしまう。ポジションＰｏ５，Ｐｏ６において構造見えを防ぐには、図９（ｂ）に示されているように、第１裏側遮光領域７１の端７１ａ（または第２裏側遮光領域７２の端７２ａ）を第１窓４１（または第２窓４２）から離して、第１裏側遮光領域７１の端７１ａ（または第２裏側遮光領域７２の端７２ａ）から出た光の入射角が臨界角θ４よりも大きくなるようにする。
【００２５】
図１０（ａ）に示されているように、成形体本体３０の表面３１が平面であれば、第１裏側遮光領域７１の端７１ａ（または第２裏側遮光領域７２の端７２ａ）から出た光が第１窓４１（または第２窓４２）の縁４１ａ（４２ａ）に達するときの入射角が臨界角に一致するとき、ｔａｎθ４＝ｄ３／ｄ２の関係が成り立つ。従って、第１窓４１（または第２窓４２）への入射角が臨界角θ４よりも大きくなるためには、平面視において第１窓４１（または第２窓４２）の縁４１ａ（４２ａ）から第１裏側遮光領域７１の端７１ａ（または第２裏側遮光領域７２の端７２ａ）までの距離がｄ３（＝ｄ２×ｔａｎθ４）よりも大きくなればよい。なお、成形体本体３０の表面３１が曲面であってもよく、その場合には、曲面に対する入射角は、曲面に立てた法線に対する角度で与えられる。
このように、表示パネル１０の裏側の構造が見えなくするためには、裏側の構造が大きくなる傾向がある。自動車のセンターコンソール２００に用いられる表示パネル１０においては、自動車の進行方向の前方から表示パネル１０を見ることはないので、自動車の進行方向の後方の構造が前方から見えてもよい構造にする。言い換えると、表側加飾シート４０は、第１窓４１及び第２窓４２の縁４１ａ，４２ａが、それぞれ平面視のおける第１裏側遮光領域７１の端７１ａ及び第２裏側遮光領域７２の端７２ａとの距離について、自動車の進行方向の後方側の距離ｄ４が最も小さくなるように構成されているものであってもよい。
【００２６】
（４）表示パネル１０の製造方法
表示パネル１０の製造方法について、図１１、図１２及び図１３を用いて説明する。まず、図１１（ａ）に示されているように、裏側加飾シート５０を準備する。裏側加飾シート５０には、「Ｎ」の文字の表されている第１図柄５１が印刷されている。図１１（ａ）には、裏側加飾シート５０の一部分が示されており、準備されている裏側加飾シート５０には図示されていない「Ｄ」の文字及び「Ｒ」の文字などが印刷されている。図１１（ｂ）には、中央に「Ｎ」の文字が配置されるように、平面視において十字架状にトリミングされたフィルム片５０ａが示されている。図１１（ｂ）に示されたフィルム片５０ａをフォーミングすることにより、図１１（ｃ）に示されているインサート部品５０ｂが得られる。同様に、「Ｄ」の文字及び「Ｒ」の文字などが印刷されている部分も、トリミングとフォーミングによりインサート部品に加工される。
表示パネル１０の製造には、第１型１１０と第２型１２０が用いられる。図１２及び図１３には、成形機（図示せず）にセットされた第１型１１０と第２型１２０の断面が模式的に示されている。なお、図１２及び図１３においては、各部材を図面上で見易くするために、各部材がデフォルメして記載されている。
図１２には、表側加飾シート４０、裏側加飾シート５０及びセンサシート６０（図示せず）を第１型１１０及び第２型１２０内に配置する工程が示されている。第１型１１０の内面１１１に沿って表側加飾シート４０が配置されている。表側加飾シート４０は、例えば、表側加飾シート４０と第１型１１０の内面１１１との間の空気が吸引されることによって内面１１１に沿わされる。第２型１２０のキャビティ１２１には、インサート部品５０ｂが嵌め込まれる。図示が省略されているが、第２型１２０には、センサシート６０（図３参照）も配置される。インサート部品５０ｂ及びセンサシート６０は第２型１２０の特定の位置に位置決めさる。インサート部品５０ｂ及びセンサシート６０は、例えば表側加飾シート４０と同様に吸引によって位置が固定される。表側加飾シート４０も第１型１１０の特定の位置に位置決めされている。そして、第１型１１０と第２型１２０が位置決めピン（図示せず）で相互の位置関係が固定される。従って、第１型１１０と第２型１２０が位置決めピンによって位置決めされて型締めされた状態で、第１型１１０と第２型１２０と表側加飾シート４０とインサート部品５０ｂとセンサシート６０の相互の位置関係が精度良く保持される。
射出工程では、型締めによって第１型１１０と第２型１２０との間に形成され、表側加飾シート４０とインサート部品５０ｂとセンサシート６０が配置されている空間に溶融樹脂１３０が射出される。溶融樹脂１３０が第２型１２０の穴１２２及び溝１２３に入り込むことによって、ボス２１及びリブ２２が形成される。第１型１１０と第２型１２０との間の空間に射出された溶融樹脂が固化することにより、図２から図５に示された成形体本体３０が形成される。射出成形後に、第１型１１０と第２型１２０を型開きして、ゲート樹脂（図示せず）などがついた状態の樹脂成形品が取り出される。取り出された樹脂成形品からゲート樹脂などを切断することによって表示パネル１０が得られる。
【００２７】
（５）変形例
（５−１）変形例１Ａ
上記第１実施形態では、遮光部材７０が成形体本体３０の樹脂壁２３と裏側加飾シート５０の第３裏側遮光領域７３及び第４裏側遮光領域７４とを組み合わせて構成される場合について説明した。
しかし、図１４に示されているように、成形体本体３０の樹脂壁２３を取り去って、裏側加飾シート５０の第３裏側遮光領域７３及び第４裏側遮光領域７４で遮光部材７０を形成してもよい。
また、図１５に示されているように、成形体本体３０の樹脂壁２３で、裏側加飾シート５０の一部分を支え、裏側加飾シート５０の第３裏側遮光領域７３及び第４裏側遮光領域７４には、樹脂壁２３で支えられてない部分があってもよい。
裏側加飾シート５０を構成しているフィルムは、弾性変形し易いので、プリント配線基板９３の表面に配線などの凹凸があってもプリント配線基板９３に接触するところまで延ばすことができる。遮光部材７０を、プリント配線基板９３に接触または近傍まで延ばすことで、遮光部材７０による遮光がより完全なものとなる。
【００２８】
（５−２）変形例１Ｂ
上記第１実施形態では、遮光部材７０を用いる場合について説明したが、遮光部材７０が形成されていなくても、ＬＥＤ９１の点灯により第１図柄５１を第１窓４１で光らせるときには第１裏側遮光領域７１及び第２表側遮光領域４４によって第２図柄５２の発光を抑制し、ＬＥＤ９２の点灯により第２図柄５２を第２窓４２で光らせるときには第２裏側遮光領域７２及び第１表側遮光領域４３によって第１図柄５１の発光を抑制するように構成してもよい。
図１６において、２つの直線Ｌ１１で挟まれた照射角度θ５の範囲がＬＥＤ９２から光が照射される範囲である。
図１６に示されているように、ＬＥＤ９２の照射角度θ５／２の範囲外に、第１図柄５１とＬＥＤ９２とを結ぶ直線Ｌ１２が引かれる状態（θ６＞θ５／２）では、ＬＥＤ９２から直接照射された光によっては第１図柄５１が表示されることはない。
また、ＬＥＤ９２が広い照射角度θ７を持ち、第１図柄５１とＬＥＤ９２とを結ぶ直線Ｌ１２がＬＥＤ９２の照射角度θ７／２の範囲内に引かれる場合（直線Ｌ１２が直線Ｌ１３の内側に引かれる場合）、換言するとθ６≦θ７／２が成立する場合でも、第１表側遮光領域４３によって、ＬＥＤ９２から出て第１図柄５１を通過した光が遮断されれば、第１図柄５１がＬＥＤ９２から直接照射された光によって表示されることはない。言い換えると、第１表側遮光領域４３の端４３ａが照射角度θ７の範囲外まで延びていれば、直接照射された光によっては第１図柄５１が表示されるのを防ぐことができる。なお、ＬＥＤ９２から照射されて成形体本体３０の表面３１で反射されて第１図柄５１を光らせる間接光は、第２裏側遮光領域７２によって遮光されている。
さらに、θ６≦θ７／２の条件を満たす場合に、第１表側遮光領域４３の端４３ａからＬＥＤ９２の照射範囲が外れるときでも、ＬＥＤ９２から出た光の表面３１への入射角θ６が臨界角よりも大きくなるように構成されていれば、表面３１で反射されるので、第１図柄５１がＬＥＤ９２から直接照射された光によって表示されることはない。
上述の３つの条件のうちの少なくとも一つを満たすように、第１図柄５１及び第２図柄、第１窓４１及び第２窓４２、第１裏側遮光領域７１及び第２表側遮光領域４４の端４４ａ、並びに第２裏側遮光領域７２及び第１表側遮光領域４３の端４３ａを配置することによって、ＬＥＤ９２による第１図柄５１の発光及びＬＥＤ９１による第２図柄５２の発光を抑制することができる。
なお、図１６を用いて、ＬＥＤ９２の点灯により第２図柄５２を第２窓４２で光らせるときに第２裏側遮光領域７２及び第１表側遮光領域４３によって第１図柄５１の発光を抑制する構成について説明したが、ＬＥＤ９１の点灯により第１図柄５１を第１窓４１で光らせるときに第１裏側遮光領域７１及び第２表側遮光領域４４によって第２図柄５２の発光を抑制する場合も同じように構成することができる。
つまり、表示パネル１０は、一方が点灯したときに他方を消灯することのできる第１光源及び第２光源を保持している機材に取り付けられ、第１光源及び第２光源から照射された光が透過する表示パネルであって、透明または半透明の樹脂からなり、樹脂の成形体である突起を裏面に有する光透過性の成形体本体と、成形体本体の表面に成形体本体の成形と同時に一体化され、表面を加飾する表側加飾層と、成形体本体の裏面に成形体本体の成形と同時に一体化されたシート状部材とを備え、成形体本体またはシート状部材は、第１光源からの光の透過によって表示される第１図柄及び第２光源からの光の透過によって表示される第２図柄を含む裏側加飾層を有し、表側加飾層は、第１図柄を透過した光が通過する第１窓及び第１窓の周囲の透過光を遮断する第１表側遮光領域、並びに第２図柄を透過した光が通過する第２窓及び第２窓の周囲の透過光を遮断する第２表側遮光領域を有し、裏側加飾層は、第１図柄の周囲の透過光を遮断する第１裏側遮光領域及び第２図柄の周囲の透過光を遮断する第２裏側遮光領域を有し、第１光源の照射角度の全範囲のうちの透過させるべき部分、成形体本体で反射される部分及び他の部材で遮光される部分を除く全ての範囲を第１裏側遮光領域及び第２表側遮光領域によって覆い、第２光源の照射角度の全範囲のうちの透過させるべき部分、成形体本体で反射される部分及び他の部材で遮光される部分を除く全ての範囲を第２裏側遮光領域及び第１表側遮光領域によって覆うように構成されている、と言える。
なお、透過させるべき部分とは例えば第１図柄５１の透過部分であり、他の部材で遮光される部分とは例えば遮光部材７０で遮光される部分である。
【００２９】
（５−３）変形例１Ｃ
第１実施形態の表示パネル１０の構成を少し変えることにより、図１７（ａ）に示されているように、裏側加飾シート５０の表面５０ｃに、光のグラデーション３００が映し出されるように構成してもよい。
例えば、図１７（ｂ）に示されているように、表側加飾シート４０の裏面４０ａに乱反射する反射部４０ｂを設ける。裏側加飾シート５０に開口部５０ｄを設ける。この開口部５０ｄを通過するＬＥＤ９５の光が反射部４０ｂで反射し、反射光の光路Ｌ４が裏側加飾シート５０の表面５０ｃに向うように構成する。反射光は、反射部４０ｂから遠くなるほど少なくなるので、裏側加飾シート５０の表面５０ｃに光のグラデーションを映し出すことができる。なお、反射部４０ｂで行われる反射は、通常の反射でも乱反射でもよい。
（５−４）変形例１Ｄ
図１８には、表側加飾シート４０の表面４０ｃ及び裏側加飾シート５０の表面５０ｃが黒色である黒色タイプと、白色である白色タイプの２つのタイプの表示パネル１０が並べて示されている。黒色タイプでは、白色タイプでは見える影４００が見えないため黒色タイプでは平面的に見えるが、白色タイプでは影４００の存在によって表側加飾シート４０の窓４５が立体的に浮かび上がる。このような窓４５の表現を第１実施形態の第１窓４１及び／または第２窓４２に適用してもよい。
【００３０】
（５−５）変形例１Ｅ
上記第１実施形態では、第１図柄５１と第２図柄５２及びその周辺の構造について説明した。第１実施形態において２つの図柄だけを説明したのは、説明を理解し易くするためであって、本発明は３つ以上の図柄についても適用することができる。
（５−６）変形例１Ｆ
上記第１実施形態では、遮光部材７０が例えば光源９０の周囲全体を平面視において長方形に囲む場合について説明したが、遮光部材７０による遮光の方法は周囲を全て囲む方法に限られるものではない。
図１９（ａ）〜図１９（ｃ）に示されているように、遮光部材７０は、平面視において、Ｉ字形、Ｌ字形、Ｃ字形など、光源９０の一部を囲む構造としてもよい。従って、インサート部品の形状も第１実施形態に示された形状に限定されるものではない。例えば、図１９（ｄ）に示されているようにトリミングされた裏側加飾シート５０のフィルム片５０ａを折り曲げて、図１９（ｅ）に示されているような一つのインサート部品５０ｂで複数の光源９０を囲むように構成してもよい。なお、図１９（ｄ）において、一点鎖線が山折り（折り目が山のように突出する折り方）を示し、二点鎖線が谷折り（折り目が谷のように引っ込む折り方）を示している。
【００３１】
（５−７）変形例１Ｇ
上記第１実施形態では、裏側加飾シート５０をプレフォームして、不透明な遮光部材７０を形成するためのインサート部品５０ｂを形成する場合について説明した。しかし、第３裏側遮光領域７３及第４裏側遮光領域７４は、他のインサート部品を用いて形成してもよい。図２０に記載されているように、例えばセラミック、金属、または樹脂からなるインサート部品６００用いてもよい。インサート部品６００及び裏側加飾シート５０に穴６０１を開けておいて、成形体本体３０の樹脂を穴６０１に流し込んで係止部６０２を成形することで、インサート部品６００を表示パネル１０に留めるように構成してもよい。
また、遮光部材７０は、光透過性の成形体本体３０に使用されているものとは異なる不透明な樹脂を用いた二色成形によって形成してもよい。
（５−８）変形例１Ｈ
上記第１実施形態において、第１裏側遮光領域７１から第４裏側遮光領域７４に反射部を形成してもよいことは説明した。さらに、図２１に示されているように、反射板７００をＬＥＤ９１，９２の周囲に配置してもよい。図２１に示されている光路Ｌ５のように、例えば、反射光として、第１裏側遮光領域７１の反射部で反射し、第３裏側遮光領域７３の反射部で反射し、さらに反射板７００で反射して表示パネル１０から外側に向って照射されるものがある。同様に、反射光として、第２裏側遮光領域７２の反射部で反射し、第４裏側遮光領域７４の反射部で反射し、さらに反射板７００で反射して表示パネル１０から外側に向って照射されるものがある。このように、反射部及び／または反射板７００を用いることにより、反射部及び反射板７００がない場合に比べて第１図柄５１及び第２図柄５２を、より明るく表示することができる。
（５−９）変形例１Ｊ
上記第１実施形態においては、裏側加飾シート５０のフィルム片５０ａをプレフォームすることによってインサート部品５０ｂを形成する場合について説明した。しかし、プレフォームの工程を省いて、射出成形時の溶融樹脂１３０の圧力によってフィルム片５０ａの折り曲げを行うようにしてもよい。
（５−１０）変形例１Ｋ
上記第１実施形態及び変形例１Ａ〜１Ｊでは、複数の光源９０がＬＥＤ９１，９２である場合について説明したが、光源９０はＬＥＤに限られるものではなく、例えば白熱球及び／または導光板であってもよく、複数種類の光源の組み合わせであってもよい。
（５−１１）変形例１Ｌ
上記第１実施形態及び変形例１Ａ〜１Ｋでは、表示パネル１０を自動車のセンターコンソール２００に使用する場合について説明したが、表示パネル１０の用途は、自動車のセンターコンソール２００には限られない。
【００３２】
（６）特徴
（６−１）
第１実施形態及び変形例１Ａ〜１Ｈの表示パネル１０は、例えば、一方が点灯したときに他方を消灯することのできるＬＥＤ９１，９２を保持している機材であるプリント配線基板９３に取り付けられている。ＬＥＤ９１，９２がそれぞれ第１光源及び第２光源の例である。光透過性の成形体本体３０は、ＬＥＤ９１，９２から照射された光が透過する透明または半透明の樹脂からなっている。成形体本体３０は、樹脂の成形体である突起２０を裏面３２に有している。ボス２１及びリブ２２は、突起２０の例である。この突起２０は、裏側加飾シート５０及び／またはセンサシート６０の同時一体成形の邪魔になるほど大きなものであり、射出成形時に裏側加飾シート５０及び／またはセンサシート６０が追従可能な程度の例えば図８（ｂ）に示した小さな凸面３３のような小さなものは、本発明でいうところの突起２０にはあたらない。
表側加飾シート４０は、成形体本体３０の表面３１に成形体本体３０の成形と同時に一体化され、表面３１を加飾する表側加飾層の例である。
裏側加飾シート５０は、成形体本体３０の裏面３２に成形体本体３０の成形と同時に一体化されたシート状部材の例である。また、センサシート６０もシート状部材の例である。
第１実施形態では、裏側加飾シート５０が、ＬＥＤ９１からの光の透過によって表示される第１図柄５１及び第２光源からの光の透過によって表示される第２図柄５２を含む裏側加飾層の例である。
【００３３】
表側加飾シート４０は、突起２０の目隠しをする目隠し領域４８、第１図柄５１を透過した光が通過する第１窓４１及び第１窓４１の周囲の透過光を遮断する第１表側遮光領域４３、並びに第２図柄５２を透過した光が通過する第２窓４２及び第２窓４２の周囲の透過光を遮断する第２表側遮光領域４４を有している。
裏側加飾シート５０は、第１図柄５１の周囲の透過光を遮断する第１裏側遮光領域７１及び第２図柄５２の周囲の透過光を遮断する第２裏側遮光領域７２を有している。
そして、表示パネル１０は、ＬＥＤ９１の点灯により第１図柄５１（例えば「Ｎ」の文字）を第１窓４１で例えば緑色に光らせるときには、第１裏側遮光領域７１及び第２表側遮光領域４４によって第２図柄５２の緑色での発光が抑制されている。また、表示パネル１０は、ＬＥＤ９２の点灯により第２図柄５２（例えば「Ｄ」の文字）を第２窓４２で例えば白色で光らせるときには、第２裏側遮光領域７２及び第１表側遮光領域４３によって第１図柄５１の白色での発光が抑制されている。
言い換えると、ＬＥＤ９１の点灯により第１図柄５１を第１窓４１で光らせるときに、第１裏側遮光領域７１及び第２表側遮光領域４４によって第２図柄５２の発光が抑制されるとは、ＬＥＤ９１から第２図柄を経て外部に照射される直接光及び間接光が、第１裏側遮光領域７１及び第２表側遮光領域４４の無い場合に比べて減少するということである。
ＬＥＤ９１から第２図柄５２を経て外部に照射される直接光及び間接光を減らすには、例えば、第１裏側遮光領域７１及び第２表側遮光領域４４のうちの少なくとも一方が、ＬＥＤ９１の照射角度の範囲に配置されればよい。なお、光を透過させるべき部分成形体本体３０で反射される部分及び他の部材（例えば遮光部材７０）で遮光される部分を除き、第１裏側遮光領域７１及び第２表側遮光領域４４によって、ＬＥＤ９１の照射角度の全範囲が覆われることが好ましい。さらに、間接光を減らすためには、第１裏側遮光領域７１及び第２表側遮光領域４４のうちの少なくとも一方が光を吸収する色、例えば黒色であることが好ましい。
同様に、ＬＥＤ９２の点灯により第２図柄５２を第２窓４２で光らせるときに、第２裏側遮光領域７２及び第１表側遮光領域４３によって第１図柄５１の発光が抑制されるとは、ＬＥＤ９２から第１図柄を経て外部に照射される直接光及び間接光が、第２裏側遮光領域７２及び第１表側遮光領域４３の無い場合に比べて減少するということである。
ＬＥＤ９２から第１図柄５１を経て外部に照射される直接光及び間接光を減らすには、例えば、第２裏側遮光領域７２及び第１表側遮光領域４３のうちの少なくとも一方が、ＬＥＤ９２の照射角度の範囲に配置されればよい。なお、光を透過させるべき部分成形体本体３０で反射される部分及び他の部材（例えば遮光部材７０）で遮光される部分を除き、第２裏側遮光領域７２及び第１表側遮光領域４３によって、ＬＥＤ９２の照射角度の全範囲が覆われることが好ましい。さらに、間接光を減らすためには、第２裏側遮光領域７２及び第１表側遮光領域４３のうちの少なくとも一方が光を吸収する色、例えば黒色であることが好ましい。
このように、ＬＥＤ９１またはＬＥＤ９２の点灯によって第１図柄５１及び第２図柄５２が同時に同じように光るのを防止することができ、ＬＥＤ９１またはＬＥＤ９２から照射されて透光性の成形体本体３０を通過した光によって、成形体本体３０の成形と同時に加飾された第１図柄５１と第２図柄５２とを個別に光らせることができる。
例えば、図２２に示されているような従来のセンターコンソール９００の表示パネル９１０には、押しボタン９１１及びボリュームのツマミ９１２などの動作部品が組み込まれているものがある。表示パネル９１０は、動作部品の隙間に塵埃が溜まるなどすると、清掃が面倒であった。それに対して、成形同時加飾により一体化された表示パネル１０の表面１１は連続して隙間の無いシームレスな構造である。その結果、シームレスな表示パネル１０を用いて構成された例えばセンターコンソール２００は、清掃が容易で、しかも外観を美しく仕上げることができる。
【００３４】
（６−２）
遮光部材７０は、成形同時加飾によって、成形体本体３０の裏面３２に固着されている。このような構造を持っているため、遮光部材７０がＬＥＤ９１から第２図柄５２に向って照射される光及びＬＥＤ９２から第１図柄５１に向って照射される光を遮る際に、遮光部材７０と成形体本体３０との間に隙間ができて光が漏れるような不具合が防止される。その結果、ＬＥＤ９１から第２図柄５２に向って照射される光及びＬＥＤ９２から第１図柄５１に向って照射される光の遮光を十分に行うことができる。また、１度の成形で遮光部材７０を表示パネル１０に取り付けることができるので安価に遮光部材７０を有する表示パネル１０を提供することができる。
（６−３）
第１実施形態の遮光部材７０は、第１図柄５１及び第２図柄５２が印刷されている裏側加飾シート５０を含んでいる。遮光部材７０の構成に裏側加飾シート５０を用いることで、遮光部材７０を成形するための金型などを省くことができ、安価に遮光部材７０を形成することができる。
【００３５】
（６−４）
第１実施形態の樹脂壁２３は、裏側加飾シート５０の遮光部材７０を構成する部分である第３裏側遮光領域７３及び第４裏側遮光領域７４を裏面３２から突出して支える支持部の例である。樹脂壁２３は、成形体本体３０の樹脂で形成された成形体である。裏側に突出している遮光部材７０の部分の裏側加飾シート５０が樹脂壁２３で支えられていて、外部から加わる衝撃に対して壊れ難くなっている。その結果、例えばセンターコンソール２００の組み立て時に表示パネル１０の取り扱いが容易になり、また、表示パネル１０は、組み立て後も良好な耐久性を保持することができる。
（６−５）
第１実施形態及び変形例１Ｈで説明したように、遮光部材７０の一部または全部に、特にＬＥＤ９１，９２に面する箇所に反射部があるので、ＬＥＤ９１，９２の光を反射する反射部が設けられていない場合に比べて、第１図柄５１及び／または第２図柄５２から外部に放たれる光を強めることができる。また、変形例１Ｃで説明したように、表側加飾層である表側加飾シート４０に反射部４０ｂを設けたときは、光のグラデーションのような光による表現に変化を持たせるような光らせ方ができる。
（６−６）
センサシート６０は、第１図柄５１及び第２図柄５２を含む裏側加飾シート５０とは異なる領域に配置されている。そして、センサシート６０を使って構成されているタッチパッド２１２及びタッチスイッチ２１３によって、ドライバーなどのユーザは、成形体本体３０の表面３１、言い換えると表示パネル１０の表面１１から種々の情報を入力することができる。そのため、シームレスな表示パネル１０は、表面１１から種々の情報を入力可能になっている。
【００３６】
（６−７）
第１図柄５１と第１窓４１の縁４１ａとを結ぶ直線及び第２図柄５２と第２窓４２の縁４２ａとを結ぶ直線と成形体本体３０の表面３１の垂線とのなす角が臨界角よりも大きくなるように第１窓４１及び第２窓４２が配置されていることから、ＬＥＤ９１から第１窓４１に入射する光のうち臨界角以下で入射する光及びＬＥＤ９２から第２窓４２に入射する光のうち臨界角以下で入射する光は全て外側に放射される。その結果、第１図柄５１及び第２図柄５２について、広い視野角が得られる。
（６−８）
表側加飾シート４０は、第１裏側遮光領域７１の端７１ａ、第２裏側遮光領域７２の端７２ａ及び突起２０から第１窓４１及び第２窓４２に達する光が成形体本体３０の表面３１に臨界角より大きい角度で入射するように第１窓４１及び第２窓４２が配置されているから、第１裏側遮光領域７１の端７１ａ及び第２裏側遮光領域７２の端７２ａ並びに突起２０から出る光が外部に放射されないので、表示パネル１０の裏面１２の側のこれらの構造が第１窓４１及び第２窓４２から見えるのを防止することができる。
（６−９）
成形体本体３０が第１窓４１及び／または第２窓４２から出る光を屈折させる例えば凸面３３、凹面３４及び傾斜面３５のような凸部または凹部を有していることから、表示パネル１０は、第１図柄５１及び／または第２図柄５２から出た光を屈折させて広がらせ或いは光路を変更させることにより、ドライバーなどのユーザが見やすい表示を行うことができる。
（６−１０）
図１０を用いて説明したように、自動車のセンターコンソール２００に取り付けられる表示パネル１０は、平面視において、第１窓４１の縁４１ａから第１裏側遮光領域７１の端７１ａまでの距離ｄ４及び第２窓４２の縁４２ａから第２裏側遮光領域７２の端７２ａまでの距離ｄ４が、自動車の進行方向の後方側で最も小さくなるように構成されている。このように構成されることで、例えば、第１図柄５１及び第２図柄５２を自動車の進行方向に並べて配置するときに配置し易くなる。
【００３７】
〈第２実施形態〉
上記第１実施形態では、表側加飾シート４０を用いて表側加飾層を形成する場合について説明したが、表側加飾層は、転写層により形成してもよい。図２３には、表側加飾シート４０の代わりに転写層を使って形成されている表示パネル１０Ａが示されている。
転写層８０は、ベースフィルム５００に形成されている。転写層８０を形成する場合も、表側加飾シート４０を用いる場合と同様に表側加飾シート４０の代わりにベースフィルム５００と共に転写層８０が第１型１１０と第２型１２０の中に配置される。そして、射出成形によって転写層８０が成形体本体３０と一体化される。ベースフィルム５００は、射出成形後に表示パネル１０Ａから剥ぎ取られる。
ベースフィルム５００は、例えば、ポリエステル系樹脂、ポリプロピレン系樹脂、アクリル系樹脂、ポリカーボネート系樹脂、ポリアミド系樹脂、ポリイミド系樹脂、オレフィン系樹脂、ウレタン系樹脂、及びアクリロニトリルブタジエンスチレン系樹脂等の合成樹脂を用いて構成することができる。
【００３８】
転写層８０は、図２３に示されているように、第１表側遮光領域４３及び第２表側遮光領域４４のための意匠インキ層８１と意匠インキ層８１を保護するためのトップコート層８２を含んでいる。
意匠インキ層８１は、表示パネル１０の外観を装飾にも用いられる。転写層８０の材料としては、例えば、熱可塑性ウレタン樹脂、アクリル系樹脂、塩化ビニル・酢酸ビニル共重合樹脂などの熱可塑性樹脂が使用できる。あるいはアクリル・ウレタン樹脂、ポリエステル・ウレタン樹脂、ユリア・メラミン樹脂等の熱硬化性樹脂、紫外線硬化樹脂又は熱可塑性樹脂をバインダーとするインキが使用できる。
トップコート層８２の材質としては、ポリエステルアクリレートやウレタンアクリレートなどのＵＶ硬化性、電離放射線硬化性樹脂、あるいはアクリル系やウレタン系などの熱硬化性樹脂が挙げられる。このような転写層８０は、剥離層、接着層及びアンカー層などの他の層を含んでいてもよい。
上述の各層は、グラビア印刷法、スクリーン印刷法、及びオフセット印刷法等の印刷法や、グラビアコート法、ダイコート法、ロールコート法、及びコンマコート法等のコート法等により形成することができる。
第２実施形態の表示パネル１０Ａでも、第１実施形態の表示パネル１０について説明した変形例と同様の変形が可能である。また、第２実施形態の表示パネル１０Ａも第１実施形態と同様の効果を奏する。
【符号の説明】
【００３９】
１０，１０Ａ      表示パネル
２０  突起
２１  ボス
２２  リブ
２３  樹脂壁
３０  成形体本体
３３  凸面
３４  凹面
３５  傾斜面
４０  表側加飾シート
４１  第１窓
４２  第２窓
４３  第１表側遮光領域
４４  第２表側遮光領域
５０  裏側加飾シート
６０  センサシート
７０  遮光部材
７１  第１裏側遮光領域
７２  第２裏側遮光領域
７３  第３裏側遮光領域
７４  第４裏側遮光領域
８０  転写層
９０  光源
９１，９２  ＬＥＤ
２００  センターコンソール
【図１】
2018155862.tif 000003
【図２】
2018155862.tif 000004
【図３】
2018155862.tif 000005
【図４】
2018155862.tif 000006
【図５】
2018155862.tif 000007
【図６】
2018155862.tif 000008
【図７】
2018155862.tif 000009
【図８】
2018155862.tif 000010
【図９】
2018155862.tif 000011
【図１０】
2018155862.tif 000012
【図１１】
2018155862.tif 000013
【図１２】
2018155862.tif 000014
【図１３】
2018155862.tif 000015
【図１４】
2018155862.tif 000016
【図１５】
2018155862.tif 000017
【図１６】
2018155862.tif 000018
【図１７】
2018155862.tif 000019
【図１８】
2018155862.tif 000020
【図１９】
2018155862.tif 000021
【図２０】
2018155862.tif 000022
【図２１】
2018155862.tif 000023
【図２２】
2018155862.tif 000024
【図２３】
2018155862.tif 000025
【手続補正書】
【提出日】平成30年6月15日(2018.6.15)
【手続補正１】
【補正対象書類名】特許請求の範囲
【補正対象項目名】請求項２
【補正方法】変更
【補正の内容】
【請求項２】
前記成形体本体の前記裏面に固着され、前記第１光源から前記第２図柄に向って照射される光及び前記第２光源から前記第１図柄に向って照射される光を遮る遮光部材をさらに備える、
請求項１に記載の表示パネル。
【手続補正２】
【補正対象書類名】特許請求の範囲
【補正対象項目名】請求項１０
【補正方法】変更
【補正の内容】
【請求項１０】
前記機材は、自動車のセンターコンソールを構成するものであり、
前記表側加飾層は、前記第１窓の縁及び前記第２窓の縁から、それぞれ平面視における前記第１裏側遮光領域の端及び前記第２裏側遮光領域の端までの距離について、自動車の進行方向の後方側が最も小さくなるように構成されている、
請求項１から９のいずれか一項に記載の表示パネル。
【手続補正３】
【補正対象書類名】明細書
【補正対象項目名】００１８
【補正方法】変更
【補正の内容】
【００１８】
（２−２）タッチパッド２１２及びタッチスイッチ２１３
タッチパッド２１２及びタッチスイッチ２１３は、例えば、静電容量式のタッチセンサを用いて構成される。タッチパッド２１２を構成する静電容量式のタッチセンサは、第１方向の位置を検出するフィルム状の第１の電極パターンと第２方向の位置を検出するフィルム状の第２の電極パターンとを備えている。第１の電極パターンを用いて、例えばＸ軸方向の位置を検出するＸ側センサが形成され、第２の電極パターンを用いて、例えばＹ軸方向の位置を検出するＹ側センサが形成される。タッチスイッチ２１３を構成する静電容量式のタッチセンサは、例えばオン・オフの入力を行うために、静電容量の変化を検出する電極を含んでいる。
このように形成されたタッチパッド２１２では、表示パネル１０の表面１１を例えば指先でタッチすることによりＸＹ平面内の２次元的な入力が可能になる。また、タッチスイッチ２１３では、表示パネル１０の表面１１を例えば指先でタッチすることによりオン・オフなどが可能になる。
【手続補正４】
【補正対象書類名】明細書
【補正対象項目名】００２０
【補正方法】変更
【補正の内容】
【００２０】
（３）表示パネル１０による表示
（３−１）表示の概要
セレクトレバー２１１を操作する前は、ニュートラルレンジに入っており、第１図柄５１が緑色に光っているとする。このときは、ＬＥＤ９１が緑色に光るが、ＬＥＤ９１から照射された光は、一部が第１図柄５１の「Ｎ」の文字を通過し、成形体本体３０の中を通過し、さらに第１窓４１を通過してドライバーの目に届き、またＬＥＤ９１から照射された光のうちの残りが、第１裏側遮光領域７１及び第３裏側遮光領域７３によって遮断される。そのため、第１図柄５１の「Ｎ」の文字が緑色に浮かび上がるが、第１図柄５１に隣接している第２図柄５２までは緑色の光が届かないことから第２図柄５２の「Ｄ」の文字が光ることはないので、セレクトレバー２１１がドライブレンジに入っているとドライバーが錯覚するのを防止することができる。
セレクトレバー２１１を操作することにより、ニュートラルレンジからドライブレンジに切り換わったとすると、ＬＥＤ９１が消灯してＬＥＤ９２が点灯する。従って、ＬＥＤ９２が白色に光るが、ＬＥＤ９２から照射された光は、一部が第２図柄５２の「Ｄ」の文字を通過し、成形体本体３０の中を通過し、さらに第２窓４２を通過してドライバーの目に届き、またＬＥＤ９２から照射された光のうちの残りが、第２裏側遮光領域７２及び第４裏側遮光領域７４によって遮断される。そのため、第２図柄５２の「Ｄ」の文字が白色に浮かび上がるが、第２図柄５２に隣接している第１図柄５１までは白色の光が届かないことから第１図柄５１の「Ｎ」の文字が光ることはないので、セレクトレバー２１１がニュートラルレンジに入っているとドライバーが錯覚するのを防止することができる。
【手続補正５】
【補正対象書類名】明細書
【補正対象項目名】００３１
【補正方法】変更
【補正の内容】
【００３１】
（５−７）変形例１Ｇ
上記第１実施形態では、裏側加飾シート５０をプレフォームして、不透明な遮光部材７０を形成するためのインサート部品５０ｂを形成する場合について説明した。しかし、第３裏側遮光領域７３及び第４裏側遮光領域７４は、他のインサート部品を用いて形成してもよい。図２０に記載されているように、例えばセラミック、金属、または樹脂からなるインサート部品６００を用いてもよい。インサート部品６００及び裏側加飾シート５０に穴６０１を開けておいて、成形体本体３０の樹脂を穴６０１に流し込んで係止部６０２を成形することで、インサート部品６００を表示パネル１０に留めるように構成してもよい。
また、遮光部材７０は、光透過性の成形体本体３０に使用されているものとは異なる不透明な樹脂を用いた二色成形によって形成してもよい。
（５−８）変形例１Ｈ
上記第１実施形態において、第１裏側遮光領域７１から第４裏側遮光領域７４に反射部を形成してもよいことは説明した。さらに、図２１に示されているように、反射板７００をＬＥＤ９１，９２の周囲に配置してもよい。図２１に示されている光路Ｌ５のように、例えば、反射光として、第１裏側遮光領域７１の反射部で反射し、第３裏側遮光領域７３の反射部で反射し、さらに反射板７００で反射して表示パネル１０から外側に向って照射されるものがある。同様に、反射光として、第２裏側遮光領域７２の反射部で反射し、第４裏側遮光領域７４の反射部で反射し、さらに反射板７００で反射して表示パネル１０から外側に向って照射されるものがある。このように、反射部及び／または反射板７００を用いることにより、反射部及び反射板７００がない場合に比べて第１図柄５１及び第２図柄５２を、より明るく表示することができる。
（５−９）変形例１Ｊ
上記第１実施形態においては、裏側加飾シート５０のフィルム片５０ａをプレフォームすることによってインサート部品５０ｂを形成する場合について説明した。しかし、プレフォームの工程を省いて、射出成形時の溶融樹脂１３０の圧力によってフィルム片５０ａの折り曲げを行うようにしてもよい。
（５−１０）変形例１Ｋ
上記第１実施形態及び変形例１Ａ〜１Ｊでは、複数の光源９０がＬＥＤ９１，９２である場合について説明したが、光源９０はＬＥＤに限られるものではなく、例えば白熱球及び／または導光板であってもよく、複数種類の光源の組み合わせであってもよい。
（５−１１）変形例１Ｌ
上記第１実施形態及び変形例１Ａ〜１Ｋでは、表示パネル１０を自動車のセンターコンソール２００に使用する場合について説明したが、表示パネル１０の用途は、自動車のセンターコンソール２００には限られない。
【手続補正６】
【補正対象書類名】明細書
【補正対象項目名】００３３
【補正方法】変更
【補正の内容】
【００３３】
表側加飾シート４０は、突起２０の目隠しをする目隠し領域４８、第１図柄５１を透過した光が通過する第１窓４１及び第１窓４１の周囲の透過光を遮断する第１表側遮光領域４３、並びに第２図柄５２を透過した光が通過する第２窓４２及び第２窓４２の周囲の透過光を遮断する第２表側遮光領域４４を有している。
裏側加飾シート５０は、第１図柄５１の周囲の透過光を遮断する第１裏側遮光領域７１及び第２図柄５２の周囲の透過光を遮断する第２裏側遮光領域７２を有している。
そして、表示パネル１０は、ＬＥＤ９１の点灯により第１図柄５１（例えば「Ｎ」の文字）を第１窓４１で例えば緑色に光らせるときには、第１裏側遮光領域７１及び第２表側遮光領域４４によって第２図柄５２の緑色での発光が抑制されている。また、表示パネル１０は、ＬＥＤ９２の点灯により第２図柄５２（例えば「Ｄ」の文字）を第２窓４２で例えば白色で光らせるときには、第２裏側遮光領域７２及び第１表側遮光領域４３によって第１図柄５１の白色での発光が抑制されている。
言い換えると、ＬＥＤ９１の点灯により第１図柄５１を第１窓４１で光らせるときに、第１裏側遮光領域７１及び第２表側遮光領域４４によって第２図柄５２の発光が抑制されるとは、ＬＥＤ９１から第２図柄を経て外部に照射される直接光及び間接光が、第１裏側遮光領域７１及び第２表側遮光領域４４の無い場合に比べて減少するということである。
ＬＥＤ９１から第２図柄５２を経て外部に照射される直接光及び間接光を減らすには、例えば、第１裏側遮光領域７１及び第２表側遮光領域４４のうちの少なくとも一方が、ＬＥＤ９１の照射角度の範囲に配置されればよい。なお、光を透過させるべき部分成形体本体３０で反射される部分及び他の部材（例えば遮光部材７０）で遮光される部分を除き、第１裏側遮光領域７１及び第２表側遮光領域４４によって、ＬＥＤ９１の照射角度の全範囲が覆われることが好ましい。さらに、間接光を減らすためには、第１裏側遮光領域７１及び第２表側遮光領域４４のうちの少なくとも一方が光を吸収する色、例えば黒色であることが好ましい。
同様に、ＬＥＤ９２の点灯により第２図柄５２を第２窓４２で光らせるときに、第２裏側遮光領域７２及び第１表側遮光領域４３によって第１図柄５１の発光が抑制されるとは、ＬＥＤ９２から第１図柄を経て外部に照射される直接光及び間接光が、第２裏側遮光領域７２及び第１表側遮光領域４３の無い場合に比べて減少するということである。
ＬＥＤ９２から第１図柄５１を経て外部に照射される直接光及び間接光を減らすには、例えば、第２裏側遮光領域７２及び第１表側遮光領域４３のうちの少なくとも一方が、ＬＥＤ９２の照射角度の範囲に配置されればよい。なお、光を透過させるべき部分、成形体本体３０で反射される部分及び他の部材（例えば遮光部材７０）で遮光される部分を除き、第２裏側遮光領域７２及び第１表側遮光領域４３によって、ＬＥＤ９２の照射角度の全範囲が覆われることが好ましい。さらに、間接光を減らすためには、第２裏側遮光領域７２及び第１表側遮光領域４３のうちの少なくとも一方が光を吸収する色、例えば黒色であることが好ましい。
このように、ＬＥＤ９１またはＬＥＤ９２の点灯によって第１図柄５１及び第２図柄５２が同時に同じように光るのを防止することができ、ＬＥＤ９１またはＬＥＤ９２から照射されて透光性の成形体本体３０を通過した光によって、成形体本体３０の成形と同時に加飾された第１図柄５１と第２図柄５２とを個別に光らせることができる。
例えば、図２２に示されているような従来のセンターコンソール９００の表示パネル９１０には、押しボタン９１１及びボリュームのツマミ９１２などの動作部品が組み込まれているものがある。表示パネル９１０は、動作部品の隙間に塵埃が溜まるなどすると、清掃が面倒であった。それに対して、成形同時加飾により一体化された表示パネル１０の表面１１は連続して隙間の無いシームレスな構造である。その結果、シームレスな表示パネル１０を用いて構成された例えばセンターコンソール２００は、清掃が容易で、しかも外観を美しく仕上げることができる。
【手続補正７】
【補正対象書類名】明細書
【補正対象項目名】００３８
【補正方法】変更
【補正の内容】
【００３８】
転写層８０は、図２３に示されているように、第１表側遮光領域４３及び第２表側遮光領域４４のための意匠インキ層８２と意匠インキ層８２を保護するためのトップコート層８１を含んでいる。
意匠インキ層８２は、表示パネル１０の外観を装飾にも用いられる。転写層８０の材料としては、例えば、熱可塑性ウレタン樹脂、アクリル系樹脂、塩化ビニル・酢酸ビニル共重合樹脂などの熱可塑性樹脂が使用できる。あるいはアクリル・ウレタン樹脂、ポリエステル・ウレタン樹脂、ユリア・メラミン樹脂等の熱硬化性樹脂、紫外線硬化樹脂又は熱可塑性樹脂をバインダーとするインキが使用できる。
トップコート層８１の材質としては、ポリエステルアクリレートやウレタンアクリレートなどのＵＶ硬化性、電離放射線硬化性樹脂、あるいはアクリル系やウレタン系などの熱硬化性樹脂が挙げられる。このような転写層８０は、剥離層、接着層及びアンカー層などの他の層を含んでいてもよい。
上述の各層は、グラビア印刷法、スクリーン印刷法、及びオフセット印刷法等の印刷法や、グラビアコート法、ダイコート法、ロールコート法、及びコンマコート法等のコート法等により形成することができる。
第２実施形態の表示パネル１０Ａでも、第１実施形態の表示パネル１０について説明した変形例と同様の変形が可能である。また、第２実施形態の表示パネル１０Ａも第１実施形態と同様の効果を奏する。